【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
エチレン、少なくとも１種類のα−オレフィンおよび５−エチリデン−２−ノルボルネンを含む混合物の重合方法であって、エチレンおよび少なくとも１種類のα−オレフィンを５−エチリデン−２−ノルボルネンの存在下で重合させ、前記５−エチリデン−２−ノルボルネンは、以下の波長：３２０ｎｍおよび３４３ｎｍのＵＶ吸光度により、経路長１ｃｍの石英サンプルホルダに収容される５−エチリデン−２−ノルボルネンの生サンプルにおいて測定される、低レベルの不純物を含み；および
５−エチリデン−２−ノルボルネンをＵＶ吸光度によって監視し、０．３１以下の３２０ｎｍおよび３４３ｎｍの吸光度の合計を有する５−エチリデン−２−ノルボルネンを重合用に選択することを含む方法。
【請求項２】
３２０ｎｍおよび３４３ｎｍの吸光度の合計が０．２５以下である、請求項１に記載の方法。
【請求項３】
３２０ｎｍおよび３４３ｎｍの吸光度の合計が０．１８以下である、請求項１または２に記載の方法。
【請求項４】
前記α−オレフィンがＣ３−Ｃ２０  α−オレフィン、Ｃ３−Ｃ１２  α−オレフィンおよびＣ３−Ｃ８  α−オレフィンからなる群より選択される、請求項１から３のいずれかに記載の方法。
【請求項５】
前記α−オレフィンがプロピレン、１−ブテン、２−メチル−１−プロペン、１−ペンテン、２−メチル−１−ブテン、１−ヘキセン、４−メチル−１−ペンテン、１−ヘプテンおよび１−オクテンからなる群より選択される、請求項１から４のいずれかに記載の方法。
【請求項６】
前記重合を溶液中で行う、請求項１から５のいずれかに記載の方法。
【請求項７】
前記重合を気相中で行う、請求項１から５のいずれかに記載の方法。
【請求項８】
前記重合を少なくとも１種類の拘束幾何触媒の存在下で行う、請求項１から７のいずれかに記載の方法。
【請求項９】
請求項１から８のいずれかに記載の方法から形成されるポリマー。
【請求項１０】
請求項９に記載のポリマーを含む組成物。
【請求項１１】
エチレン、少なくとも１種類のα−オレフィンおよび５−エチリデン−２−ノルボルネンを含む混合物の重合において触媒の効率を高める方法であって、エチレンおよび少なくとも１種類のα−オレフィンを５−エチリデン−２−ノルボルネンの存在下で重合させ、前記５−エチリデン−２−ノルボルネンは、以下の波長：３２０ｎｍおよび３４３ｎｍのＵＶ吸光度により、経路長１ｃｍの石英サンプルホルダに収容される５−エチリデン−２−ノルボルネンの生サンプルにおいて測定される、低レベルの不純物を含み、並びに
５−エチリデン−２−ノルボルネンをＵＶ吸光度によって監視し、０．３１以下の３２０ｎｍおよび３４３ｎｍの吸光度の合計を有する５−エチリデン−２−ノルボルネンを重合用に選択することを含む方法。
【請求項１２】
３２０ｎｍおよび３４３ｎｍの吸光度の合計が０．２５以下である、請求項１１に記載の方法。
【請求項１３】
３２０ｎｍおよび３４３ｎｍの吸光度の合計が０．１８以下である、請求項１１または１２に記載の方法。
【請求項１４】
前記α−オレフィンがＣ３−Ｃ２０  α−オレフィン、Ｃ３−Ｃ１２  α−オレフィンおよびＣ３−Ｃ８  α−オレフィンからなる群より選択される、請求項１１から１３のいずれかに記載の方法。
【請求項１５】
前記α−オレフィンがプロピレン、１−ブテン、２−メチル−１−プロペン、１−ペンテン、２−メチル−１−ブテン、１−ヘキセン、４−メチル−１−ペンテン、１−ヘプテンおよび１−オクテンからなる群より選択される、請求項１１から１４のいずれかに記載の方法。
【請求項１６】
前記重合を溶液中で行う、請求項１１から１５のいずれかに記載の方法。
【請求項１７】
前記重合を気相中で行う、請求項１１から１５のいずれかに記載の方法。
【請求項１８】
前記重合を少なくとも１種類の拘束幾何触媒の存在下で行う、請求項１１から１７のいずれかに記載の方法。
【請求項１９】
５−エチリデン−２−ノルボルネンの精製方法であって、前記５−エチリデン−２−ノルボルネンを、任意に減圧下で、熱的に処理して精製５−エチリデン−２−ノルボルネンを形成することを含み、前記精製５−エチリデン−２−ノルボルネンは、以下の波長：３２０ｎｍおよび３４３ｎｍの吸光度により、経路長１ｃｍの石英サンプルホルダに収容される５−エチリデン−２−ノルボルネンの生サンプルにおいて測定される、低レベルの不純物を含み、および
３２０ｎｍおよび３４３ｎｍの吸光度の合計が０．３１以下である方法。
【請求項２０】
３２０ｎｍおよび３４３ｎｍの吸光度の合計が０．２５以下である、請求項１９に記載の方法。
【請求項２１】
３２０ｎｍおよび３４３ｎｍの吸光度の合計が０．１８以下である、請求項１９または２０に記載の方法。
【請求項２２】
エチレン、プロピレンおよび５−エチリデン−２−ノルボルネンを含む混合物の重合の「期待触媒効率パーセント」を決定するための方法であって：
（１）経路長１ｃｍの石英サンプルホルダに収容される５−エチリデン−２−ノルボルネンの生サンプルにおいて、不純物のレベルを以下のＵＶ吸光度：３２０ｎｍおよび３４３ｎｍで測定し、かつこれら２つの吸光度の合計（ＳＵＭ）を決定すること、および
（２）「期待触媒効率パーセント（％  Ｅｘｐｅｃｔｅｄ  Ｃａｔ．  Ｅｆｆ．）」を以下の式：％  Ｅｘｐｅｃｔｅｄ  Ｃａｔ．  Ｅｆｆ．＝１００×（１．１８５−０．７４９×ＳＵＭ）に従って算出すること、
を含む方法。
【請求項２３】
前記重合をバッチ反応器において行う、請求項２２に記載の方法。
【請求項２４】
前記重合をパイロットプラント反応器、実験室規模反応器、高出力重合反応器および商業用反応器からなる群より選択される反応器において行う、請求項２２に記載の方法。
【請求項２５】
３２０ｎｍおよび３４３ｎｍの吸光度の合計が０．３１以下である、請求項２２から２４のいずれかに記載の方法。
【請求項２６】
３２０ｎｍおよび３４３ｎｍの吸光度の合計が０．２５以下である、請求項２２から２５のいずれかに記載の方法。
【請求項２７】
前記重合を溶液中で行う、請求項２２から２６のいずれかに記載の方法。
【請求項２８】
前記重合を気相中で行う、請求項２２から２６のいずれかに記載の方法。
【請求項２９】
前記重合を少なくとも１種類の拘束幾何触媒の存在下で行う、請求項２２から２８のいずれかに記載の方法。
【請求項３０】
エチレン、α−オレフィンおよび５−エチリデン−２−ノルボルネンを含む混合物の重合の「期待触媒効率パーセント」を決定するための方法であって：
（１）経路長１ｃｍの石英サンプルホルダに収容される５−エチリデン−２−ノルボルネンの生サンプルにおいて、不純物のレベルを以下のＵＶ吸光度：３２０ｎｍおよび３４３ｎｍで測定し、かつこれら２つの吸光度の合計（ＳＵＭ）を決定すること、および
（２）「期待触媒効率パーセント（％  Ｅｘｐｅｃｔｅｄ  Ｃａｔ．  Ｅｆｆ．）」を以下の式：％  Ｅｘｐｅｃｔｅｄ  Ｃａｔ．  Ｅｆｆ．＝１００×（Ａ−Ｂ×（ＳＵＭ））に従って算出し、式中、係数ＡおよびＢは３２０ｎｍおよび３４３ｎｍのＵＶ吸光度の合計（ＳＵＭＳ）が変化する５−エチリデン−２−ノルボルネンを用いる重合反応から測定される触媒効率の直線回帰から算出されること、
を含む方法。
【請求項３１】
前記重合をバッチ反応器において行う、請求項３０に記載の方法。
【請求項３２】
前記重合をパイロットプラント反応器、実験室規模反応器、高出力重合反応器および商業用反応器からなる群より選択される反応器において行う、請求項３０に記載の方法。
【請求項３３】
３２０ｎｍおよび３４３ｎｍの吸光度の合計が０．３１以下である、請求項３０から３２のいずれかに記載の方法。
【請求項３４】
３２０ｎｍおよび３４３ｎｍの吸光度の合計が０．２５以下である、請求項３０から３３のいずれかに記載の方法。
【請求項３５】
前記重合を溶液中で行う、請求項３０から３４のいずれかに記載の方法。
【請求項３６】
前記重合を気相中で行う、請求項３０から３４のいずれかに記載の方法。
【請求項３７】
前記重合を少なくとも１種類の拘束幾何触媒の存在下で行う、請求項３０から３６のいずれかに記載の方法。
【請求項３８】
５−エチリデン−２−ノルボルネンの精製方法であって、５−エチリデン−２−ノルボルネンをカラムを通過させて精製５−エチリデン−２−ノルボルネンを形成することを含み、前記精製５−エチリデン−２−ノルボルネンは、以下の波長：３２０ｎｍおよび３４３ｎｍの吸光度により、経路長１ｃｍの石英サンプルホルダに収容される５−エチリデン−２−ノルボルネンの生サンプルにおいて測定される、低レベルの不純物を含み、および３２０ｎｍおよび３４３ｎｍの吸光度の合計が０．３１以下である方法。
【請求項３９】
５−エチリデン−２−ノルボルネンの精製方法であって、５−エチリデン−２−ノルボルネンを化学的に処理して精製５−エチリデン−２−ノルボルネンを形成することを含み、前記精製５−エチリデン−２−ノルボルネンは、以下の波長：３２０ｎｍおよび３４３ｎｍの吸光度により、経路長１ｃｍの石英サンプルホルダに収容される５−エチリデン−２−ノルボルネンの生サンプルにおいて測定される、低レベルの不純物を含み、および３２０ｎｍおよび３４３ｎｍの吸光度の合計が０．３１以下である方法。
【請求項４０】
前記重合を少なくとも１種類のシングルサイト触媒の存在下で行う、請求項１から１０のいずれかに記載の方法。
【請求項４１】
前記重合を少なくとも１種類のマルチサイト触媒の存在下で行う、請求項１から１０のいずれかに記載の方法。
【請求項４２】
前記重合を少なくとも１種類のシングルサイト触媒の存在下で行う、請求項１１から１８のいずれかに記載の方法。
【請求項４３】
前記重合を少なくとも１種類のマルチサイト触媒の存在下で行う、請求項１１から１８のいずれかに記載の方法。
【請求項４４】
前記重合を少なくとも１種類のシングルサイト触媒の存在下で行う、請求項２２から２９のいずれかに記載の方法。
【請求項４５】
前記重合を少なくとも１種類のマルチサイト触媒の存在下で行う、請求項２２から２９のいずれかに記載の方法。
【請求項４６】
前記重合を少なくとも１種類のシングルサイト触媒の存在下で行う、請求項３０から３７のいずれかに記載の方法。
【請求項４７】
前記重合を少なくとも１種類のマルチサイト触媒の存在下で行う、請求項３０から３７のいずれかに記載の方法。